(57)【特許請求の範囲】
【請求項１】
制御対象の外部機器と接続された電話機であって、
電話番号を記憶する記憶手段と、
発信者情報通知サービスにより電話回線を通じて送られてくる発信者番号を、回線を捕捉しないで、取得する発信者番号取得手段と、
前記発信者番号取得手段により取得された発信者番号と同一の電話番号が前記記憶手段に記憶されているときに前記外部機器の制御を行う機器制御手段と、
前記機器制御手段により前記制御がなされた後に、前記発信者番号取得手段により取得された発信者番号宛てに発呼し、オンフック状態にする制御完了通知手段と、
発信者番号が取得されてから所定時間経過後に、着信が継続しているかを判断する判断手段と、
着信が継続していると判断された場合に回線を捕捉してデータを受信するデータ受信手段とを備え、
着信が継続していると判断された場合に、前記機器制御手段は、前記データ受信手段により受信されたデータに応じて前記制御を行い、
着信が継続していないと判断された場合に、前記機器制御手段は、前記発信者番号取得手段による発信者番号の取得後、回線を捕捉しないままで前記制御を行う
ことを特徴とする電話機。
【請求項２】
前記記憶手段は、前記電話番号を、前記外部機器についての制御の内容を特定する情報と対応付けて記憶しており、
前記機器制御手段は、前記発信者番号と同一の電話番号により特定される内容の前記制御を行う
ことを特徴とする請求項１記載の電話機。
【請求項３】
前記電話機はさらに、ユーザ操作を受け付け、当該ユーザ操作に応じて、前記記憶手段に記憶されている前記電話番号を更新する更新手段を備える
ことを特徴とする請求項１記載の電話機。
【請求項４】
前記データ受信手段は、ＤＴＭＦトーンを受信し、
前記機器制御手段の行う前記制御の詳細な内容は、前記データ受信手段により受信されたＤＴＭＦトーンに応じた内容である
ことを特徴とする請求項１記載の電話機。
【請求項５】
前記電話機はさらに、前記機器制御手段による前記制御において異常が発生した場合には前記発信者番号取得手段により取得された発信者番号宛てに所定態様で発呼及び回線切断を行う手段を備える
ことを特徴とする請求項１記載の電話機。
【請求項６】
前記外部機器は、録画機能を有する録画機器であり、
前記機器制御手段は、前記録画機器の制御として、テレビ番組の予約処理を行う
ことを特徴とする請求項１記載の電話機。
【発明の詳細な説明】
【０００１】
【発明の属する技術分野】
本発明は、電話機に関し、特に、電話による外部からの指示に応じて家電機器その他の機器等を制御する電話機に関する。
【０００２】
【従来の技術】
従来、外出先から家庭内の機器を制御することを可能にする機能をもつ留守番電話機がある。
この従来の留守番電話機は、呼び出しを受けるとリンガを検出して回線を捕捉することによりオフフック状態にし制御用データを受信して、制御用データの内容に応じて留守番電話機に接続された機器を制御する。従って、この従来の留守番電話機に外出先から電話をかけて機器を制御しようとする者は、留守番電話機により回線が捕捉されたことを確認した後に、例えば電話機の０〜９の数字キーや「＃」等のキーを押下してＤＴＭＦトーンを発生させる等により、機器を制御するために予め定められている制御用データを送信する必要がある。
【０００３】
【発明が解決しようとする課題】
ところで、外出先から家庭内の機器制御を可能にする留守番電話機には、家族以外の者には機器制御をさせないようにする等のため、電話をかけてきた者（以下、「発呼者」という。）に対して暗証番号の入力をさせる等で発呼者を識別する機能が備えられている必要がある。
【０００４】
さらに、このような留守番電話機の高機能化を考えた場合、家族の各人が別個の機器制御を行いたいという要求や、子供が制御可能な範囲を親より狭くする等の制限を実現したいという要求に対応することが望まれるが、これらに対応するためにも留守番電話機は、発呼者を識別する機能を備える必要がある。
これらの要求に応える方式として、発呼者は、留守番電話機により回線が捕捉された後に、発呼者を識別するための情報を機器制御用の制御データに含めて送信し、これに対して留守番電話機は、オフフック状態に移行した後に制御データを受信して発呼者を識別しその結果に応じて制御実行可否や制御実行内容を決定する方式が考えられる。
【０００５】
しかしながら、この方式では、回線が捕捉された後に、発呼者を識別するための情報が送受信されるため、回線を捕捉している時間が長時間化して、通話料金が高くなるとともに他者が留守番電話へ電話をかけた場合に話中のため通話ができない事態が発生する頻度が増加するという問題が生じる。
また、この方式では、発呼者は、発呼者の携帯電話機の電話番号等の発呼者を識別するための情報を、例えば数字キーや「＃」等のキーを押下してＤＴＭＦトーンを発生させることにより留守番電話に送信しなければならないので、発呼者にとっての操作負担が増加するという問題が生じる。
【０００６】
そこで、本発明は、上記問題点に鑑みてなされたものであり、回線捕捉後に受信する制御データに依らずに、発呼者を識別して機器制御を行う電話機を提供することを目的とする。
【０００７】
【課題を解決するための手段】
本発明は、現在、ＰＨＳ（パーソナル・ハンディホン・システム）の電話機や携帯電話機等が普及しているため、発呼者が用いた携帯電話機等の電話番号を、発呼者を識別する情報として代用することが可能であり、また、多くの電話事業者は、呼出信号の前に発呼側の電話機の電話番号を着信側に通知する発信者情報通知サービスを提供していることに着目してなされたものであり、本発明に係る電話機は、制御対象の外部機器と接続された電話機であって、電話番号を記憶する記憶手段と、発信者情報通知サービスにより電話回線を通じて送られてくる発信者番号を取得する発信者番号取得手段と、前記発信者番号取得手段により取得された発信者番号と同一の電話番号が前記記憶手段に記憶されているときに前記外部機器の制御を行う機器制御手段とを備えることを特徴とする。ここで、外部機器と電話機との間の接続は、有線接続の他、無線接続も含む。
【０００８】
上記構成により、発信者情報通知サービスにより送られてくる発信者番号を用いることにより発呼者の識別を行い特定の発呼者から発呼があった場合に機器を制御するので、回線捕捉後に発呼者を識別するためのデータを受信する必要がなく回線捕捉時間の長時間化を防止し、また、機器制御のために発呼者が暗証番号や携帯電話機の電話番号等をキー入力して送信する必要がなく発呼者の操作負担の増加を防止した上で、権限確認を伴う機器制御が実現できる。
【０００９】
【発明の実施の形態】
以下、本発明の実施の形態について図面を用いて詳細に説明する。
＜構成＞
図１は、本発明の実施の形態に係る留守番電話機１００の構成を示すブロック図である。なお、同図には、留守番電話機１００に接続された外部機器３０と、外部機器３０の電源ラインに接続されたリレー装置２０とをも示している。
【００１０】
同図に示すように、留守番電話機１００は、着信検出回路１、発信者番号検出回路２、２線−４線変換回路３、制御部４、発信信号発生部５、リングバックトーン検出回路６、外部機器制御回路７、フラッシュＲＯＭ８、ＤＴＭＦレシーバ９、通話回路１０、キー１１、ＬＣＤ１２及び回線捕捉用リレー１３を備え、公衆交換網に接続されている。
【００１１】
ここで、着信検出回路１は、電話がかかってきたことを検出して着信した旨を制御部４に通知する回路であり、発信者番号検出回路２は、発呼者が用いた電話機の電話番号（以下、「発信者番号」という。）が交換機から通知されると、この発信者番号を検出して制御部４に通知する回路である。なお、発信者番号は、電話事業者により提供されている発信者情報通知サービスにより、交換機から着信側に送られてくるもので、発呼側の電話機の電話番号である。また、着信検出回路１は、発信者番号の前に交換機から送られてくる情報受信端末起動信号及び発信者番号の後に送られてくる呼出信号を検出する。
【００１２】
２線−４線変換回路３は、回線と接続される２線を、送話用及び受話用の２つの信号ループを形成させるべく通話回路１０と４線で接続する回路である。
発信信号発生部５は、制御部４から発呼の宛先の電話番号を得るとトーン又はパルスのいずれかの方法により発呼を行うものである。
リングバックトーン検出回路６は、発信信号発生部５により発呼が行われることにより戻ってくる呼出音であるリングバックトーンを検出し制御部４に通知する回路である。
【００１３】
外部機器制御回路７は、制御部４からの指示を受けて、留守番電話機１００の外部に接続されたリレー装置２０や外部機器３０を制御する回路である。即ち、外部機器制御回路７は、制御部４からどの機器をどのように制御するかの指示を受けて、制御対象の外部機器に応じて制御用信号等を供給する回路であり、例えばリレー装置への電流の供給や、接続された機器に接続線を通じて制御データを送信することや、リモコン操作可能な機器に対して機器操作用のコマンドを赤外線のリモコン信号にして発すること等を行うものである。
【００１４】
フラッシュＲＯＭ８は、留守番電話機１００の各部の動作を制御するための制御プログラムを記憶する書き換え可能な不揮発性メモリであり、また、発呼者番号を含む制御振り分け用情報毎に、機器制御用処理を対応づけた制御表をも記憶している。なお、この制御表については後に詳しく説明する。
ＤＴＭＦレシーバ９は、受信した音声信号がどのようなＤＴＭＦ信号であるかを制御部４に渡すものである。ＤＴＭＦ信号は、電話機のそれぞれのキーに対応して発生するものであるため、制御部４はＤＴＭＦレシーバ９により、発呼者から送られてくるＤＴＭＦ信号を識別することにより、発呼者がいずれのキーを押下したかを知ることができる。
【００１５】
通話回路１０は、レシーバ及びマイクにより、音声通話を可能にする回路である。
キー１１は、ユーザ操作を受け付けて制御部４に通知するための１〜９の数字キーや「＃」、「＊」その他のキーであり、また、制御表の更新処理を開始するための専用キー等も含んでいる。ＬＣＤ１２は、制御部４の指示に応じて液晶画面に文字、記号等を表示することによりユーザに各種情報を通知する液晶ディスプレイである。
【００１６】
回線捕捉用リレー１３は、オフフック状態とオンフック状態とを切り替えるリレーである。
制御部４はＣＰＵであり、フラッシュＲＯＭ８に記憶された制御用プログラムを読み出して実行することにより、留守番電話機１００の各部からの通知を受けつつ各部を制御し、従来の留守番電話機の機能を含む各種機能を実現する。例えば、制御部４は、発信者番号検出回路２により発信者番号の通知を受けて数秒後に回線を捕捉することによりオフフック状態にし、ＤＴＭＦレシーバ９を介してＤＴＭＦトーンを受信し、発信者番号及びＤＴＭＦトーンに応じて、外部機器制御回路７を通じて留守番電話機１００の外部に接続された機器を制御する。なお、発信者番号通知を受けて回線を捕捉する前に発呼者が電話を切った場合にはＤＴＭＦトーンはないものとして発信者番号のみに応じて機器制御を行う。また、制御部４は、機器制御を行った場合に、発信信号発生部５を介して発呼を行う機能を有し、さらに、ユーザ操作をキー１１を介して受け付けて、制御表の内容を更新したり、制御表の内容をＬＣＤ１２に表示したりする機能をも有する。
【００１７】
外部機器３０は、例えば照明機器、ビデオ録画再生機器等の機器である。なお、留守番電話機１００には複数の機器が接続され得る。
また、リレー装置２０は、外部機器３０の電源ラインに接続され、外部機器３０の電源のオン・オフを切り替えることができる装置である。
＜データ構造＞
以下、上述のフラッシュＲＯＭ８に記憶されている制御表について説明する。
【００１８】
図２は、フラッシュＲＯＭ８に記憶されている制御表のデータ構造及び内容例を示す図である。
制御表２００は、制御振り分け用情報２１０と機器制御処理アドレス２２０とを対応付けたテーブルである。
ここで、制御振り分け用情報２１０は、制御権限を有する発呼者が持つ電話機についての電話番号である電話番号２１１と、機器制御の詳細を指定する意味をもつＤＴＭＦトーン２１２とで構成される。
【００１９】
また、機器制御処理アドレス２２０は、機器制御処理の内容を定める制御プログラムのフラッシュＲＯＭ８内におけるアドレスを示す。なお、機器制御処理は、制御部４により実行されるもので、例えば、予めフラッシュＲＯＭ８に記憶しており制御対象機器を特定し制御内容詳細を特定するための制御用データを、外部機器制御回路７に転送することを内容とする処理である。
【００２０】
この制御表２００が制御部４により参照されることにより、留守番電話機１００が受け取る情報に応じた照明機器等の制御が実現される。
同図に示す制御表２００の内容例では、例えば、留守番電話機１００が着信した際に発信者番号が０９０−１△△△−□□□□であり、回線捕捉した後に「１」「＃」のＤＴＭＦトーンを受信した場合には、留守番電話機１００に接続された家の１階にある照明機器の電源ラインを制御するリレー装置を駆動し電源をオン状態にすることにより照明を点灯する処理が実行されることを示している。
【００２１】
また、同図の内容例は、発信者番号が０７０−６×××−△△△△である場合は、ビデオ録画再生機器に対して制御を行い、回線捕捉後に受け取ったＤＴＭＦトーンで示された録画予約用のコード番号に応じたテレビ番組の録画予約処理が実行されることを示している。
＜動作＞
以下、上述した構成を備える留守番電話機１００の動作について説明する。
【００２２】
ここでは、留守番電話機１００に対して家の者（発呼者）が外出先から電話番号が０９０−１△△△−□□□□の携帯電話機により電話をかけることにより家の中の照明を制御しようとする場合を例にして説明する。また、制御表の内容は図２に例示したものとして説明する。
図３は、留守番電話機１００の機器制御に関する動作を示すフローチャートである。
【００２３】
発呼者から電話がかけられると留守番電話機１００は、着信を開始し、即ち開始着信検出回路１により着信を検出し（ステップＳ３０１）、その後、発信者番号検出回路２により発信者番号を検出する（ステップＳ３０２）。なお、発信者番号は準拠する規格によるが通常例えば呼出信号の前に置かれており検出可能である。また、発信者番号が検出できなかった場合には、図３に示す動作は中止し、通常の留守番電話機と同様の動作を行う。
【００２４】
制御部４は、発信者番号検出回路２から発信者番号を受け取りフラッシュＲＯＭ８に格納した後、数秒待機し（ステップＳ３０３）、着信検出回路１により着信が継続しているか、即ち呼出信号の検出が継続しているかを判断する（ステップＳ３０４）。
もし、着信が継続していれば、制御部４は、回線捕捉用リレー１３を閉じてオフフック状態にし（ステップＳ３０５）、発呼者の操作に応じて発呼側の携帯電話機から送られてくるＤＴＭＦトーンをＤＴＭＦレシーバ９を介して受信し（ステップＳ３０６）、受信したＤＴＭＦトーンの意味内容と既に受け取っている発信者番号とを、フラッシュＲＯＭ８に記憶されている制御表中の制御振り分け用情報２１０に照らし合わせることにより、制御振り分け用情報２１０に対応する機器制御処理アドレス２２０を参照して、実行すべき機器制御処理のアドレスを特定し、その機器制御処理を起動する（Ｓ３０７）。
【００２５】
例えば、発呼者が「１」「＃」のキーを押下した場合には、図２に示すように、ステップＳ３０７により１階照明点灯処理が起動される。１階照明点灯処理は、外部機器制御回路７に対して、１階の照明機器の電源ラインに接続されているリレー装置を指定して電源オンとするように指示する処理である。これを受けて外部機器制御回路７は、該当するリレー装置を電源ＯＮとなるように制御する。
【００２６】
制御部４は、発信者番号及びＤＴＭＦトーンに応じて機器の制御を行った後、制御完了の旨を表す音声信号を送信し（ステップＳ３０８）、回線を切断することによりオンフック状態にする（ステップＳ３０９）。外出先にいる発呼者は制御完了の旨を表す音声信号を聴くことにより、機器の制御が完了したことを認識することができる。ここで、制御完了の旨を表す音声信号は例えば「＊」「＃」というＤＴＭＦトーンと予め定められている。ステップＳ３０８は、留守番電話機１００内部で機器の制御動作を開始した後に行われ、実際に外部機器が完全に動作完了してから実行されるとは限らない。
【００２７】
なお、ステップＳ３０７において制御表に照らした場合に、留守番電話機１００が検出した発信者番号と同一の電話番号や受信したＤＴＭＦトーンが制御表に含まれていないものであったならば、機器の制御を行わず、ステップＳ３０８をスキップして、回線を切断する（ステップＳ３０９）。
また、ステップＳ３０４において、着信の検出がなくなった場合、即ち、制御部４が着信が継続しなくなったと判断した場合に、受け取っている発信者番号をフラッシュＲＯＭ８に記憶されている制御表中の制御振り分け用情報２１０に照らし合わせることにより、制御振り分け用情報２１０に対応する機器制御処理アドレス２２０を参照して、実行すべき機器制御処理のアドレスを特定しその機器制御処理を起動する（Ｓ３１０）。例えば、発呼者がリングバックトーンを２回聴いた後に電話を切ったような場合には、処理はステップＳ３０４においてｙｅｓの分岐に進み、リビングルーム照明点灯処理が実行されることになる（図２参照）。リビングルーム照明点灯処理は、外部機器制御回路７に対して、リビングルームの照明機器の電源ラインに接続されているリレー装置を指定して電源オンとするように指示する処理である。
【００２８】
ステップＳ３１０の処理が終了した後、制御部４は、回線捕捉用リレー１３を閉じてオフフック状態にし、受け取ってフラッシュＲＯＭ８に格納してある発信者番号を用いて、発信信号発生部５により、外出先から先ほど呼び出しをしてきた発呼者に対して、発呼を行い（ステップＳ３１１）、その後数秒間待機して（ステップＳ３１２）、オンフック状態にする（ステップＳ３０９）。ステップＳ３１１もステップＳ３０８と同様に、留守番電話機１００内部で機器の制御動作を開始した後に行われ、実際に外部機器が完全に動作完了してから実行されるとは限らない。
【００２９】
ステップＳ３１１における発呼を受けることにより、携帯電話機の呼び出し音が数回鳴る等するため、発呼者は機器の制御が完了したことを認識することができる。
なお、ステップＳ３１０において制御表に照らした場合に、留守番電話機１００が検出した発信者番号と同一の電話番号が制御表に含まれていないものであったならば、機器の制御を行わず、ステップＳ３１１以後の処理をスキップする。例えば、０９０−２△△△−○○○○という電話番号が制御表に含まれていない場合において、その電話番号の携帯電話機からの呼び出しを受けたときには、ステップＳ３１０に至ったならば制御部４は機器の制御を行わず発呼から回線切断迄の動作を行わない。
【００３０】
また、留守番電話機１００に対して家の者（発呼者）が外出先から電話番号が０７０−６×××−△△△△のＰＨＳ電話機により電話をかけて、家の中のビデオ録画再生装置に録画予約を行わせることも可能であり、この場合にも留守番電話機１００は上述の手順（ステップＳ３０１〜ステップＳ３０９）で処理を行う（図２参照）。
【００３１】
以下、制御部４が、ユーザ操作をキー１１を介して受け付けて、制御表の内容を更新したり、制御表の内容をＬＣＤ１２に表示したりする機能について説明する。
キー１１のうち、制御表の更新処理を開始するための専用のキーをユーザが押下した場合に、制御部４は、ＬＣＤ１２を介してユーザに対して電話番号及びＤＴＭＦトーンの内容の入力を促すメッセージを表示し、ユーザからキー１１を通じて入力された電話番号及びＤＴＭＦトーンの内容を取得し、また、ＬＣＤ１２を介してユーザに対して予めフラッシュＲＯＭ８に記憶されている各機器制御処理のいずれかの選択を促すメッセージを、例えば、「１．１階照明点灯処理」、「２．１階照明消灯処理」、「３．２階照明点灯処理」等と表示して、ユーザからキー１１を通じて番号の選択を受け付けて、受け付けた情報に基づいて、各機器制御処理アドレスを電話番号及びＤＴＭＦトーンの内容と対応付けて制御表に追加登録する。
【００３２】
追加登録した後、制御部４は、制御表の内容を文字列で表してＬＣＤ１２に順次表示する。
また、同様に、キー１１のうち特定のキーをユーザが押下した場合にも、制御部４は、制御表の内容を文字列で表してＬＣＤ１２に順次表示する。
これらの機能により、留守番電話機１００に予め備えられている各機器制御処理をどの携帯電話機からどのようなＤＴＭＦトーンにより実行させることができるかについて、ユーザは留守番電話機１００を操作することにより指定することができるようになり、また、現在の指定状況をＬＣＤ１２を通じて確認することができるようになる。
＜補足＞
以上、本発明に係る留守番電話機について、実施の形態に基づいて説明したが、本発明はこの実施の形態に限られないことは勿論である。即ち、
（１）本実施の形態では、留守番電話機１００は、外部機器である照明機器、ビデオ録画再生機器等の制御ができることとしたが、各種家電機器、電磁ロック等の家庭内セキュリティ機器等を制御することができるようにしてもよい。なお、各機器制御処理の内容を定める制御プログラムと外部機器制御回路７との役割分担等はどのようなものであってもよい。
（２）本実施の形態では、機器制御の詳細を指定するためにＤＴＭＦトーンを用いることとしたが、これに限定されることはなく、例えば、外出先から留守番電話機に携帯情報端末機により電話をかけてデジタルデータを送信することとし、これに対して留守番電話機はデジタルデータを受信してこれと発信者番号とに応じて機器制御処理内容を振り分けることとしてもよい。なお、デジタルデータの送受信は音声信号に変調して送信されたものを受信した側が復調して利用するようにしてもよい。
【００３３】
また、発信者番号の内容は、発信者情報通知サービスにより留守番電話機１００に送られてくるものであれば、内線番号その他の情報を構成要素として含んでいてもよく、これに制御表内の電話番号が対応していればよい。
（３）本実施の形態では、留守番電話機１００が検出した発信者番号と同一の電話番号及び受信したＤＴＭＦトーンが制御表に含まれていないものであったならば、機器の制御を行わず、ステップＳ３０８をスキップして、回線を切断する（ステップＳ３０９）こととしたが、発信者番号と同一の電話番号が制御表に含まれていないものであった場合には、機器の制御を行わず、ステップＳ３０８に代えて音声録音等の通常の留守番電話機同様の動作を行った後に回線を切断する（ステップＳ３０９）こととしてもよい。
（４）本実施の形態で示したステップＳ３０３及びステップＳ３１２における数秒待機は、例えば、タイマ等を用いて所定時間の経過をカウントすることにより実現してもよいし、リンガ音又はリングバックトーンを所定回数カウントすることにより実現してもよく、それぞれ異なる方式で実現してもよい。リングバックトーンのカウントは、リングバックトーン検出回路６を利用することにより実現できる。また、待機時間が数秒に限定されることはなく、ユーザが留守番電話機に任意の待機時間を予め設定しておくことを可能にしてもよい。
（５）本実施の形態では、制御部４はステップＳ３１１において、検出してフラッシュＲＯＭ８に格納している発信者番号を用いて発呼することとしたが、発呼の宛先となる電話番号としては、検出したものでなく制御表に予め含まれている電話番号を用いることとしても差し支えない。
（６）本実施の形態では、制御部４はステップＳ３１０における機器の制御が完了した後、つまり留守番電話機による機器制御の開始後に、ステップＳ３１１で発信者番号宛てに発呼することとしたが、機器の動作中に異常が発生した場合には、発呼後に数秒待機して回線切断という動作を２回繰り返す等により機器制御を要求した者に対して異常を通知することとしてもよい。このためには、外部機器制御回路７が、外部機器３０等から異常発生の通知を受けるか又はリレー装置２０等の異常を検出する等を行うことができるものであり、異常を制御部４に通知することができるものである必要がある。
（７）本実施の形態では、留守番電話機１００は、制御表の更新処理を開始するための専用のキーを備えていることとしたが、特に専用のキーを備えなければならないことはなく、数字等の一般的なキーを組み合せて同時に押下されることや、長い間押下されること等を制御部４が検知した場合に制御表の更新処理を開始することとしてもよい。
【００３４】
なお、制御表の更新や制御表の表示を指示するユーザ操作を受け付ける方式については、ユーザが選択し得る動作を選択肢としてＬＣＤに一覧表示してユーザの選択を受け付ける等、いかなる方式を採用してもよい。
（８）本実施の形態では、図２に示したように制御表に、各機器制御処理アドレスは１つの電話番号と対応づけられているものとしたが、複数の電話番号と対応づけられていることとしてもよい。これにより、複数の者に同一機器を制御する権限を与えることが可能になる。なお、照明機器、ビデオ録画再生機器その他多数の機器を、同一の電話番号に対応づけてもよく、この場合は、回線捕捉後の通話状態において受信可能なＤＴＭＦトーンその他のデータによって機器を特定すればよい。
【００３５】
また、図２に示した制御表は、各機器制御処理を特定するために機器制御処理アドレスを含むこととしたが、制御表は、発呼者側の電話番号に応じて機器制御処理の内容を振り分けることができる情報を含みさえすれば、いかなる内容を構成要素とするものであってもよく、ひとまとまりとして存在しなくてもよい。例えば、０９０−１△△△−□□□□等のある電話番号に対して、照明機器制御全般等といった特定内容の制御振り分け処理が対応付けられていることとしてもよい。ここで、この制御振り分け処理は、受信したＤＴＭＦトーンに応じて１階照明点灯処理等といった詳細な機器制御処理内容を振り分けることを内容とする処理である。
【００３６】
また、図２に示す制御表の代わりに、機器の制御権限を与えた者についての電話番号のみをフラッシュＲＯＭ８に記録しておき、制御部４が発信者番号検出回路２を介して取得した発信者番号がフラッシュＲＯＭ８に記録されていれば、例えばリレー装置の状態切替等、予め定められた機器制御を実行することとしてもよい。この場合にも、詳細な機器制御については通話中に受信したデータを利用することにより行うこととしてもよい。また、この場合には、機器の制御権限に関する意味をもつところの前記電話番号の追加登録、更新又は削除を、留守番電話機に対するユーザのキー操作等に従って行うようにしてもよい。
（９）本実施の形態における留守番電話機１００の機器制御に関する処理手順（図３のフローチャートの手順）等を機械語プログラムにより実現し、これを記録媒体に記録して流通・販売の対象にしても良い。このような記録媒体には、ＩＣカードや光ディスク、フロッピーディスク、ＲＯＭ等があるが、これらに記録された機械語プログラムは、プログラム実行能力を有する電話機内にインストールされることにより利用に供される。即ち、プログラム実行能力を有し外部機器制御インタフェースを有する電話機は、インストールされた上記機械語プログラムを逐次実行することにより、発信者番号等に応じた機器制御を実現することができるようになる。
【００３７】
【発明の効果】
以上の説明から明らかなように、本発明に係る電話機は、制御対象の外部機器と接続された電話機であって、電話番号を記憶する記憶手段と、発信者情報通知サービスにより電話回線を通じて送られてくる発信者番号を取得する発信者番号取得手段と、前記発信者番号取得手段により取得された発信者番号と同一の電話番号が前記記憶手段に記憶されているときに前記外部機器の制御を行う機器制御手段とを備えることを特徴とする。
【００３８】
これにより、発信者情報通知サービスにより送られてくる発信者番号を用いることにより発呼者の識別を行い特定の発呼者から発呼があった場合に機器を制御するので、回線捕捉後に発呼者を識別するためのデータを受信する必要がなく回線捕捉時間の長時間化を防止し、また、機器制御のために発呼者が暗証番号等をキー入力して送信する必要もなく発呼者の操作負担の増加を防止した上で、権限確認を伴う機器制御が実現できる。
【００３９】
ここで、前記記憶手段は、前記電話番号を、前記外部機器についての制御の内容を特定する情報と対応付けて記憶しており、前記機器制御手段は、前記発信者番号と同一の電話番号により特定される内容の前記制御を行うこととすることもできる。
これにより、発呼者の識別情報を回線捕捉後に受信することなく、各発呼者に応じて機器制御の内容を変えることも可能となる。従って、家族の各人がそれぞれ携帯電話機等を持てば、各人が外出先等から本発明に係る電話機に電話をかけることにより、それぞれ異なる内容の家庭内機器の制御を本発明に係る電話機に行わせることができるようになる。
【００４０】
また、前記電話機はさらに、前記機器制御手段により前記制御がなされた後に、前記発信者番号取得手段により取得された発信者番号宛てに発呼し、オンフック状態にする制御完了通知手段を備えることとすることもできる。
これにより、本発明に係る電話機は機器制御後に発信者番号宛てに電話をかけ戻すので、本発明に係る電話機に電話をかけた者は機器制御の完了を認識することができるようになる。
【００４１】
また、前記電話機はさらに、ユーザ操作を受け付け、当該ユーザ操作に応じて、前記記憶手段に記憶されている前記電話番号を更新する更新手段を備えることとすることもできる。
これにより、本発明に係る電話機を操作する者は、機器制御を許容する発呼者を変更する等ができるようになる。
【００４２】
また、前記電話機はさらに、着信後に回線を捕捉してデータを受信するデータ受信手段を備え、前記機器制御手段の行う前記制御の詳細な内容は、前記データ受信手段により受信されたデータに応じた内容であることとすることもできる。これにより、回線捕捉後のデータ受信により、機器制御に必要な各種情報を得て、これに基づいて複雑な機器制御まで行うことができるようになる。
【００４３】
また、前記データ受信手段は、ＤＴＭＦトーンを受信し、前記機器制御手段の行う前記制御の詳細な内容は、前記データ受信手段により受信されたＤＴＭＦトーンに応じた内容であることとすることもできる。
これにより、回線捕捉後にＤＴＭＦトーンにより機器制御処理内容を振り分けることが可能となるため、本発明に係る電話機に対し電話をかけた者は、手にした電話機のキーを押下することにより所望の機器制御を本発明に係る電話機に行わせることができるようになる。
【００４４】
また、前記発信者番号取得手段は、回線を捕捉しないで前記発信者番号を取得し、前記機器制御手段は、前記発信者番号取得手段による発信者番号の取得後、回線を捕捉しないままで前記制御を行うこととすることもできる。
これにより、ＤＴＭＦトーンその他による詳細な機器制御の指示が不要な場合に迅速に機器制御が可能となる。また、機器制御にあたり通話料金が不要となる。
【００４５】
このように、本発明は、電話機に接続された機器の遠隔制御を、制御権限を確認した上で実現する技術として実用的効果は大きく、留守番電話機等の利用の可能性を拡大する有用な技術である。
【図面の簡単な説明】
【図１】本発明の実施の形態に係る留守番電話機１００の構成を示すブロック図である。
【図２】フラッシュＲＯＭ８に記憶されている制御表のデータ構造及び内容例を示す図である。
【図３】留守番電話機１００の機器制御に関する動作を示すフローチャートである。
【符号の説明】
１    着信検出回路
２    発信者番号検出回路
３    ２線−４線変換回路
４    制御部
５    発信信号発生部
６    リングバックトーン検出回路
７    外部機器制御回路
８    フラッシュＲＯＭ
９    ＤＴＭＦレシーバ
１０    通話回路
１１    キー
１２    ＬＣＤ
１３    回線捕捉用リレー
２０    リレー装置
３０    外部機器
１００    留守番電話機
２００    制御表
２１０    制御振り分け用情報
２１１    電話番号
２１２    ＤＴＭＦトーン
２２０    機器制御処理アドレス
【図１】
0003789689.tif 000002
【図２】
0003789689.tif 000003
【図３】
0003789689.tif 000004